(57)【要約】【課題】動物を逃がすことなく確実に捕獲できる動物捕獲器を提供する。【解決手段】捕獲室１の入口３を開放する開放状態と入口３を閉鎖する閉鎖状態との間で揺動する揺動板４と、上記揺動板４を開放状態で保持するとともに、保持の解除により揺動を開始させる保持部材５と、上記保持部材５に係止して揺動板４を開放状態に保持するよう保持部材５を維持するとともに、上記入口３から侵入した動物が載った重みによって上記係止を解除して保持部材５の保持を解除する維持板６とを備えたことにより、動物を確実に捕獲することができる。【選択図】図１
2013146231.tif 000002
【特許請求の範囲】
【請求項１】
捕獲室の入口を開放する開放状態と入口を閉鎖する閉鎖状態との間で揺動する揺動板と、
上記揺動板を開放状態で保持するとともに、保持の解除により揺動を開始させる保持部材と、
上記保持部材に係止して揺動板を開放状態に保持するよう保持部材を維持するとともに、上記入口から侵入した動物が載った重みによって上記係止を解除して保持部材の保持を解除する維持板とを備えたことを特徴とする動物捕獲器。
【請求項２】
上記揺動板を閉鎖状態でロックする第１ロック手段と、上記揺動板を開放状態でロックする第２ロック手段とをさらに備えている請求項１記載の動物捕獲器。
【発明の詳細な説明】
【技術分野】
【０００１】
本発明は、ネズミ等の動物を捕獲するために使用される動物捕獲器に関する。
【背景技術】
【０００２】
従来より、ネズミ等の動物を捕獲するために、例えば下記の特許文献１に示すように、シーソー板を利用した動物捕獲箱が提供されている。この動物捕獲箱は、鼠がシーソーの中央より奥に入って行くと、その重さによってシーソーの奥側が少し下がる。すると、回転軸が下側に離れているのでバランスがくずれ、奥側がいっきに底まで下がり、シーソー下部の磁石と箱底の磁石の吸引力で固定される。この状態で、シーソー入口がふさがれることにより鼠が逃げられなくなるようにしている。
【先行技術文献】
【特許文献】
【０００３】
【特許文献１】実用新案登録第３１１３７８６号公報
【発明の概要】
【発明が解決しようとする課題】
【０００４】
上記動物捕獲箱は、シーソーの奥側がいっきに下がったときに磁石の吸引力で固定するようになっている。このため、捕獲された動物が驚いて暴れだすと磁石が外れてしまい、せっかく捕獲した動物に逃げられてしまうという問題がある。一方、鼠等の動物は尻尾が長く、体長の約１／２は尻尾の長さが占めている。したがって、シーソーの奥側がいっきに下がったときに、磁石の吸引力でシーソーが固定される前に鼠等の尻尾がシーソーと入口の間に挟まってしまい、磁石同士の間にその分隙間が出来て十分に固定することができない。一方、鼠等は、尻尾が挟まることにより異変を感じて逃げようとするので、この状態で鼠等が逆戻りすると、簡単にシーソーが元にもどってしまってせっかく箱に入った鼠等に簡単に逃げられてしまうという問題がある。また、１匹ないし２匹捕獲するのがせいぜいで、連続的に何匹も捕獲することができず、捕獲状況を頻繁に確認して１匹でも掛かっていれば捕獲された動物を取り出して初期状態に戻し、仕掛けなおさなければならない。
【０００５】
本発明は、上記課題を解決するためになされたものであり、動物を逃がすことなく確実に捕獲することができる動物捕獲器を提供することをその目的とする。
【課題を解決するための手段】
【０００６】
上記の目的を達成するため、本発明の動物捕獲器は、捕獲室の入口を開放する開放状態と入口を閉鎖する閉鎖状態との間で揺動する揺動板と、
上記揺動板を開放状態で保持するとともに、保持の解除により揺動を開始させる保持部材と、
上記保持部材に係止して揺動板を開放状態に保持するよう保持部材を維持するとともに、上記入口から侵入した動物が載った重みによって上記係止を解除して保持部材の保持を解除する維持板とを備えたことを要旨とする。
【発明の効果】
【０００７】
本発明の動物捕獲器によって動物を捕獲する際には、まず、初期状態において、開放状態の揺動板を保持部材で保持し、その保持部材の保持を維持板で維持した状態にしておく。開放された入口から動物が侵入して維持板の上に載ると、その重みで維持板と保持部材の係止が解除される。維持板と保持部材の係止が解除されると、保持部材による揺動板の保持が解除されて揺動を開始し、入口を閉鎖する閉鎖状態となる。そうすると、捕獲室に侵入した動物が捕獲されるのである。このようにして動物を確実に捕獲することができる。
【０００８】
本発明において、上記揺動板を閉鎖状態でロックする第１ロック手段と、上記揺動板を開放状態でロックする第２ロック手段とをさらに備えている場合には、
第１ロック手段が揺動板を閉鎖状態でロックすることにより捕獲室に捕獲した動物は逃げられなくなる。また、第２ロック手段で揺動板を開放状態でロックすることにより、動物の餌付けを行って警戒心をなくさせ、捕獲を容易にすることができる。
【図面の簡単な説明】
【０００９】
【図１】本発明の一実施形態における動物捕獲器を示す断面図である。
【図２】入口部分を内側から見た図である。
【図３】保持部を示す図である。
【図４】維持板を示す図である。
【図５】第１ロック手段を示す図である。
【図６】第２ロック手段を示す図である。
【図７】第２ロック手段で揺動板をロックした状態を示す断面図である。
【発明を実施するための形態】
【００１０】
以下、本発明の動物捕獲器の実施形態について、図面を参照して詳細に説明する。
【００１１】
図１は、本発明の一実施形態における動物捕獲器を示す断面図であり、（Ａ）は開放状態、（Ｂ）は閉鎖状態を示す。
【００１２】
この動物捕獲器は、内部空間が捕獲室１になった捕獲容器２の前面に、ねずみ等の動物を捕獲室１に侵入させるための入口３が設けられている。そして、捕獲室１の入口３を開放する開放状態と入口３を閉鎖する閉鎖状態との間で揺動する揺動板４を備えている。さらに、上記揺動板４を開放状態で保持するとともに、保持の解除により揺動を開始させる保持部材５と、上記保持部材５に係止して揺動板４を開放状態に保持するよう保持部材５を維持するとともに、上記入口３から侵入した動物が載った重みによって上記係止を解除して保持部材５の保持を解除する維持板６とを備えている。
【００１３】
これらの構成を以下に詳しく説明する。
【００１４】
図２は入口３の周辺部を室内側から見た図である。上記入口３の室内側には、上部と左右を囲う囲い部材７が設けられ、動物は囲い部材７を通過して捕獲室１内に侵入するようになっている。上記囲い部材７の左右の側壁に揺動板４が軸支され、軸４ａを中心にシーソーのように揺動可能となっている。軸４ａよりも室内側の蓋板部分４ｂが上下に揺動して入口を開閉する。蓋板部分４ｂが上に跳ね上がった状態が開放状態、蓋板部分４ｂが下がった状態が閉鎖状態である。
【００１５】
図３は、保持部材５を示す図である。保持部材５は、屈曲させたワイヤー５ａの両端部に抜け止め板５ｂが取り付けられ、ワイヤー５ａの屈曲部近傍に係止板５ｃが取り付けられて構成されている。ワイヤー５ａは、平面視でコ字状を形成するように屈曲され、さらに側面視でＬ字状を形成するように開放端が上向きに屈曲されている。側面視Ｌ字状の屈曲部近傍においてワイヤー５ａの両側に掛け渡すように係止板５ｃが取り付けられている。上記屈曲されたワイヤー５ａの両開放端が捕獲室１の天井部に貫通されて、抜け止め板５ｂが取り付けられることにより、ワイヤー５ａが天井部からぶら下がって、前後に揺動しうるようになっている。そして、開放状態に跳ね上がった蓋板部分４ｂを作用端５ｄが下から支えることにより、揺動板４の開放状態を保持しうるようになっている。
【００１６】
図４は、維持板６を示す図である。維持板６は、入口３側が幅広で奥に向かって徐々に幅が狭くなる板材であり、金属薄板等のばね性のある材料から形成されている。入口３側の左右には、入口３の左右に立設された取り付けレール８の突起部８ａが差し込まれるスリット６ａが形成されている。取り付けレール８の上に維持板６の根元部が片持ち状に取り付けられる。入口３から侵入した動物が維持板６の上に載ることにより、動物の重みで維持板６の先端側が下方にたわむようになっている。
【００１７】
維持板６の先端はＺ字状に屈曲されて係止部６ｂが形成されている。この係止部６ｂが、開放状態に跳ね上がった蓋板部分４ｂを作用端５ｄが下から支えて揺動板４の開放状態を保持している保持部材５の係止板５ｃに係止する。この状態で、保持部材５が揺動板４の開放状態を保持した状態を維持するようになっている。また、入口３から侵入した動物が維持板６の上に載って維持板６の先端側が下方にたわむと、係止部６ｂと係止板５ｃの係止が解除され、保持部材５が入口３と反対側に揺動する。そうすると、開放状態に跳ね上がった揺動板４の蓋板部分４ｂの下支がなくなり、揺動板４が揺動して入口３を閉鎖する。
【００１８】
この動物捕獲器は、上記揺動板４を閉鎖状態でロックする第１ロック手段９と、上記揺動板４を開放状態でロックする第２ロック手段１０とをさらに備えている。
【００１９】
図５は第１ロック手段９を示す図である。第１ロック手段９は、入口３の室内側に設けられた囲い部材７の下側に設けられている。上記囲い部材７の下部には敷居壁１１が立ち上がっていて、この敷居壁１１の室内側の両側にそれぞれ第１ロック手段９が設けられている。上記第１ロック手段９は、敷居壁１１と対向する位置に軸支されたロック片１２を含んで構成されている。上記ロック片１２は、下方に揺動してきた揺動板４の先端部と干渉する干渉部１２ａと、ロック片１２の逆回動を規制してロック状態を維持するための規制部１２ｂとを備えて構成されている。
【００２０】
上記第１ロック手段９では、揺動板４が下方に回動してきたときに、その先端部が干渉部１２ａに干渉してロック片１２が回動し、揺動板４の先端部が干渉部１２ａの下側に入り込む。この状態で、ロック片１２は規制部１２ｂが敷居壁１１に当たって逆回動が規制され、ロック状態が維持される。ロックを解除するときは、ロック動作のときとは反対の動作をさせる。
【００２１】
図６は第２ロック手段１０を示す図である。第２ロック手段１０は、捕獲容器２の入口３の上部に、回動片１３が軸１３ａに軸支されて構成されている。ロック状態では回動片１３を入口３側に回動させ、ロック解除状態では回動片１３を天井側に回動させる。
【００２２】
図７は第２ロック手段１０で揺動板４を開放状態にロックした状態を示す。揺動板４を開放状態に位置させ、回動片１３を入口３側に回動させて、開放状態にした揺動板４をその位置に固定する。
【００２３】
このように、本実施形態の動物捕獲器によって動物を捕獲する際には、まず、初期状態において、開放状態の揺動板４を保持部材５で保持し、その保持部材５の保持を維持板６で維持した状態にしておく。開放された入口３から動物が侵入して維持板６の上に載ると、その重みで維持板６と保持部材５の係止が解除される。維持板６と保持部材５の係止が解除されると、保持部材５による揺動板４の保持が解除されて揺動を開始し、入口３を閉鎖する閉鎖状態となる。そうすると、捕獲室１に侵入した動物が捕獲されるのである。このようにして動物を確実に捕獲することができる。
【００２４】
また、上記揺動板４を閉鎖状態でロックする第１ロック手段９と、上記揺動板４を開放状態でロックする第２ロック手段１０とをさらに備えているため、
第１ロック手段９が揺動板４を閉鎖状態でロックすることにより捕獲室１に捕獲した動物は逃げられなくなる。また、第２ロック手段１０で揺動板４を開放状態でロックすることにより、動物の餌付けを行って警戒心をなくさせ、捕獲を容易にすることができる。
【００２５】
なお、上記実施形態において、捕らえる動物は、ネズミのような小動物だけでなく、アライグマ等の捕獲にも有効である。これらの動物は、集団で動くために餌付けにより複数を一網打尽に連続捕獲することができる。また、捕獲室としては箱状のものに限らず、容器形状としては各種のものを採用することができる。
【符号の説明】
【００２６】
１：捕獲室
２：捕獲容器
３：入口
４：揺軸
４ａ：軸
４ｂ：蓋板部分
５：保持部材
５ａ：ワイヤー
５ｂ：抜け止め板
５ｃ：係止板
５ｄ：作用端
６：維持板
６ａ：スリット
６ｂ：係止部
７：囲い部材
８：取り付けレール
８ａ：突起部
９：第１ロック手段
１０：第２ロック手段
１１：敷居壁
１２：ロック片
１２ａ：干渉部
１２ｂ：規制部
１３：回動片
１３ａ：軸
【図１】
2013146231.tif 000003
【図２】
2013146231.tif 000004
【図３】
2013146231.tif 000005
【図４】
2013146231.tif 000006
【図５】
2013146231.tif 000007
【図６】
2013146231.tif 000008
【図７】
2013146231.tif 000009